(57)【要約】【課題】  本発明は、頭部に装着して使用され装着者に画像、音声等を出力する出力装置に関し、耳への装脱性を従来より大幅に向上することを目的とする。【解決手段】  頭部への装着時に保持部材を耳の表側に押圧する押圧部材と、前記保持部材に配置され頭部への装着時に前記耳の裏側に装着される耳掛部材とを有し、頭部への非装着時における前記耳掛部材の開き角を、頭部への装着時における開き角より大きくしてなることを特徴とする。【選択図】      図６
2008072353.tif 000002
【特許請求の範囲】
【請求項１】
頭部への装着時に保持部材を耳の表側に押圧する押圧部材と、
前記保持部材に配置され頭部への装着時に前記耳の裏側に装着される耳掛部材と、
を有し、
頭部への非装着時における前記耳掛部材の開き角を、頭部への装着時における開き角より大きくしてなることを特徴とする出力装置。
【請求項２】
請求項１記載の出力装置において、
前記耳掛部材は開き角が大きくなる方向に付勢され、頭部への装着時に、前記保持部材の側圧により前記保持部材と前記耳掛部材との間に耳を挟持することを特徴とする出力装置。
【請求項３】
請求項２記載の出力装置において、
前記耳掛部材を前記保持部材に対して回動可能に支持する支持手段と、
前記耳掛部材の開き角を規制する角度規制手段と、
前記耳掛部材を開き角が大きくなる方向に付勢する付勢手段と、
を有することを特徴とする出力装置。
【請求項４】
請求項１ないし請求項３のいずれか１項記載の出力装置において、
前記保持部材は、耳の表側に押圧されるパッド部材を備えていることを特徴とする出力装置。
【請求項５】
請求項１ないし請求項４のいずれか１項記載の出力装置において、
前記押圧部材の両端に前記保持部材が配置されていることを特徴とする出力装置。
【請求項６】
請求項５記載の出力装置において、
前記押圧部材は、頭部への装着時に後頭部に位置されることを特徴とする出力装置。
【請求項７】
請求項１ないし請求項６のいずれか１項記載の出力装置において、
装着者に画像を表示するための表示手段を有することを特徴とする出力装置。
【請求項８】
請求項１ないし請求項７のいずれか１項記載の出力装置において、
前記保持部材は、音声出力手段を有することを特徴とする出力装置。
【発明の詳細な説明】
【技術分野】
【０００１】
本発明は、頭部に装着して使用され装着者に画像、音声等を出力する出力装置に関する。
【背景技術】
【０００２】
従来、頭部に装着されて使用される表示装置として、ヘッドホンに耳掛部材を設けたものが知られている。
【特許文献１】特開２００４−２０７８４７号公報
【発明の開示】
【発明が解決しようとする課題】
【０００３】
しかしながら、このような従来の表示装置では、ヘッドホンに耳掛部材が単に固定されているため、耳掛部材を耳の裏側に位置させるのが容易でなく、ヘッドホンの耳への装着および離脱がやりにくいという問題があった。
本発明は、かかる従来の問題を解決するためになされたもので、耳への装脱性を従来より大幅に向上することができる出力装置を提供することを目的とする。
【課題を解決するための手段】
【０００４】
第１の発明の出力装置は、頭部への装着時に保持部材を耳の表側に押圧する押圧部材と、前記保持部材に配置され頭部への装着時に前記耳の裏側に装着される耳掛部材とを有し、頭部への非装着時における前記耳掛部材の開き角を、頭部への装着時における開き角より大きくしてなることを特徴とする。
第２の発明の出力装置は、第１の発明の出力装置において、前記耳掛部材は開き角が大きくなる方向に付勢され、頭部への装着時に、前記保持部材の側圧により前記保持部材と前記耳掛部材との間に耳を挟持することを特徴とする。
【０００５】
第３の発明の出力装置は、第２の発明の出力装置において、前記耳掛部材を前記保持部材に対して回動可能に支持する支持手段と、前記耳掛部材の開き角を規制する角度規制手段と、前記耳掛部材を開き角が大きくなる方向に付勢する付勢手段とを有することを特徴とする。
第４の発明の出力装置は、第１ないし第３のいずれか１の発明の出力装置において、前記保持部材は、耳の表側に押圧されるパッド部材を備えていることを特徴とする。
【０００６】
第５の発明の出力装置は、第１ないし第４のいずれか１の発明の出力装置において、前記押圧部材の両端に前記保持部材が配置されていることを特徴とする。
第６の発明の出力装置は、第５の発明の出力装置において、前記押圧部材は、頭部への装着時に後頭部に位置されることを特徴とする。
第７の発明の出力装置は、第１ないし第６のいずれか１の発明の出力装置において、装着者に画像を表示するための表示手段を有することを特徴とする。
【０００７】
第８の発明の出力装置は、第１ないし第７のいずれか１の発明の出力装置において、前記保持部材は、音声出力手段を有することを特徴とする。
【発明の効果】
【０００８】
本発明の出力装置では、耳への装脱性を従来より大幅に向上することができる。
【発明を実施するための最良の形態】
【０００９】
以下、本発明の実施形態を図面を用いて詳細に説明する。
図１は、本発明の出力装置の一実施形態を示している。
この実施形態の出力装置は、頭部Ｈに装着されて使用される。そして、画像を表示するための表示部１１を有している。表示部１１は、左目ＬＩに画像を表示する。
表示部１１は、左耳側のヘッドホン１５の支持部１７に、アーム部材１３を介して支持されている。ヘッドホン１５は、連結部材１９の両側に一対配置されている。連結部材１９は、弾性を有する樹脂等の部材からなり、一対のヘッドホン１５を対向する方向に付勢している。従って、ヘッドホン１５の頭部Ｈへの装着時には、一対のヘッドホン１５が耳に向けて押圧される。
【００１０】
一対のヘッドホン１５には、それぞれ耳掛部材２１が配置されている。耳掛部材２１は、耳掛部２１ａ、接続部２１ｂ、軸部２１ｃを有している。耳掛部２１ａは、円弧状に折曲され、外周に軟質ゴム等がコーティングされている。耳掛部２１ａは、ヘッドホン１５より内側に配置されている。耳掛部２１ａは、接続部２１ｂを介して軸部２１ｃに接続されている。軸部２１ｃは、ヘッドホン１５の装着時に、略上下方向を向くように配置されている。
【００１１】
図２は、図１の右耳用のヘッドホン１５の詳細を示している。なお、左耳用のヘッドホン１５も略同様に構成されているため、詳細な説明を省略する。
ヘッドホン１５は、ベース部材２３を有している。ベース部材２３には、音声を出力するためのコア２５が配置されている。ベース部材２３のコア２５側は、カバー部材２７により覆われている。ベース部材２３のコア２５と反対側には、軟質材からなるパッド部材２９が配置されている。ベース部材２３の一側には、耳掛部材２１の軸部２１ｃを取り付けるための取付部２３ａが一体形成されている。
【００１２】
図３は、図２の取付部２３ａの詳細を示している。
取付部２３ａは、軸取付部２３ｂとバネ取付部２３ｃとを有している。軸取付部２３ｂには、一対の軸支持部２３ｄ，２３ｅが間隔を置いて形成されている。軸支持部２３ｄには、耳掛部材２１の軸部２１ｃが挿通される貫通穴２３ｆが形成されている。軸支持部２３ｅには、軸部２１ｃの先端が挿入される止まり穴２３ｈが形成されている。
【００１３】
軸部２１ｃには、軸部２１ｃの回動を規制するための規制ピン２１ｄが形成されている。規制ピン２１ｄは軸部２１ｃから側方に向けて形成されている。規制ピン２１ｄは、軸支持部２３ｄの貫通穴２３ｆの外側に形成される溝部２３ｉに収容されている。従って、軸部２１ｃを回動すると規制ピン２１ｄが溝部２３ｉの側壁２３ｊに衝突し、軸部２１ｃの回動が所定角度に規制される。
【００１４】
バネ取付部２３ｃには、一対の突部２３ｋ，２３ｍが間隔を置いて形成されている。この突部２３ｋ，２３ｍの間には、矩形状の板バネ３１の一端がビス３３により固定されている。板バネ３１の他端は、軸部２１ｃに形成される切欠部２１ｅに当接されている。
上述した出力装置では、ヘッドホン１５の非装着時には、図４に二点鎖線で示す非装着位置に耳掛部材２１が位置される。この非装着位置におけるヘッドホン１５のパッド部材２９と耳掛部２１ａとのなす開き角θは、１０度から４５度の範囲内の値、例えば３０度に設定されている。そして、ヘッドホン１５の装着時には、耳掛部２１ａが頭部Ｈにより押圧され図４に実線で示す装着位置に耳掛部材２１が位置される。
【００１５】
図５の(ａ)は、耳掛部材２１が非装着位置にある時の耳掛部材２１の軸部２１ｃの状態を模式的に示している。この状態では、軸部２１ｃの規制ピン２１ｄが溝部２３ｉの略中央に位置されている。また、軸部２１ｃの規制ピン２１ｄと反対側に形成される切欠部２１ｅが、板バネ３１の長手方向に平行に位置され、切欠部２１ｅの全体に板バネ３１が当接されている。そして、板バネ３１により軸部２１ｃの回動が規制され、耳掛部材２１が図４に二点鎖線で示す非装着位置に位置される。
【００１６】
図５の(ｂ)は、耳掛部材２１が装着位置にある時の耳掛部材２１の軸部２１ｃの状態を模式的に示している。この状態では、軸部２１ｃの規制ピン２１ｄが溝部２３ｉの側壁２３ｊに当接されている。また、軸部２１ｃの回動により切欠部２１ｅが回動し、切欠部２１ｅの端部により板バネ３１が変形されている。そして、板バネ３１により軸部２１ｃの切欠部２１ｅが板バネ３１に対して平行になるように付勢され、耳掛部材２１が図４に実線で示す装着位置に位置される。
【００１７】
上述した出力装置では、ヘッドホン１５の頭部Ｈへの装着が図６に示すようにして行われる。図６は頭部Ｈを上方から見て示している。
先ず、連結部材１９の両側のヘッドホン１５を両手に持った状態で、ヘッドホン１５を外側に移動し連結部材１９を充分に広げながら連結部材１９を頭部Ｈの後側に位置する。この状態では、耳掛部材２１が図６に二点鎖線で示す非装着位置に位置している。なお、実際には、連結部材１９が広げられているため、取付部２１ａは、頭部Ｈの側方に位置されている。
【００１８】
次に、連結部材１９を充分に広げた状態で、パッド部材２９に対して充分に離れた状態にある耳掛部２１ａを、耳Ｙの裏側に位置させる。
次に、耳掛部２１ａを耳Ｙの裏側に位置させた状態で、ヘッドホン１５を広げる力を小さくし、ヘッドホン１５を耳Ｙの表側に当接する。そして、この状態でヘッドホン１５を広げる力を無くすと、連結部材１９の弾性力によりヘッドホン１５が耳Ｙに向けて、例えば、１から３Ｎ(ニュートン)程度の側圧で押圧される。この押圧により、耳Ｙの裏側に位置する耳掛部２１ａが頭部Ｈにより押圧され、ヘッドホン１５と耳掛部２１ａとの間に耳Ｙが挟持される。この状態では、耳掛部材２１が図６に実線で示す装着位置に位置している。
【００１９】
そして、上述した出力装置では、ヘッドホン１５の頭部Ｈからの離脱が、連結部材１９の両側のヘッドホン１５を両手に持った状態で、ヘッドホン１５を外側に移動し、この状態で耳Ｙの裏側から耳掛部２１ａが抜けるようにヘッドホン１５を移動することにより行われる。
上述した出力装置では、頭部Ｈへの非装着時における耳掛部材２１の開き角θを、頭部Ｈへの装着時における開き角θより大きくしたので、ヘッドホン１５を広げている時には、耳掛部２１ａがパッド部材２９に対して充分に離れた状態になる。従って、耳掛部２１ａを耳Ｙの裏側に挿入する時、あるいは、耳Ｙの裏側から離脱する時に、耳Ｙにより邪魔されることが少なくなり、耳Ｙへの装脱性を従来より大幅に向上することができる。
【００２０】
また、耳掛部材２１を開き角θが大きくなる方向に付勢し、頭部Ｈへの装着時に、ヘッドホン１５の側圧によりヘッドホン１５と耳掛部２１ａとの間に耳Ｙを挟持するようにしたので、出力装置を頭部Ｈに強固に固定することができる。そして、これにより表示部１１を左目ＬＩの眼前に安定して位置させることが可能になる。
(実施形態の補足事項)
以上、本発明を上述した実施形態によって説明してきたが、本発明の技術的範囲は上述した実施形態に限定されるものではなく、例えば、以下のような形態でも良い。
【００２１】
(１)上述した実施形態では、ヘッドホン１５に耳掛部材２１を配置した例について説明したが、ヘッドホン１５に限られるものではなく、出力装置を単に保持するために設けられ音声出力機能を備えない保持部材に耳掛部材を配置しても良い。
(２)上述した実施形態では、耳掛部材２１を回動自在にし別途配置される板バネ３１により付勢した例について説明したが、例えば、耳掛部材を弾性部材で形成してヘッドホンに固定し、非装着時の開き角が装着時の開き角より大きくなるように、耳掛部材そのものに付勢力を付与しても良い。
【００２２】
(３)上述した実施形態では、連結部材１９の両側にヘッドホン１５を配置した例について説明したが、片側にのみヘッドホンを配置しても良い。
(４)上述した実施形態では、板バネ３１により耳掛部材２１を付勢した例について説明したが、例えば、線状バネ等により耳掛部材を付勢しても良い。
【図面の簡単な説明】
【００２３】
【図１】本発明の出力装置の一実施形態を示す斜視図である。
【図２】図１のヘッドホンの詳細を示す説明図である。
【図３】図２の取付部の詳細を示す説明図である。
【図４】図１の耳掛部材の装着位置と非装着位置を示す説明図である。
【図５】図３の取付部の装着位置と非装着位置の状態を示す説明図である。
【図６】図１の出力装置の頭部Ｈへの取付方法を示す上面図である。
【符号の説明】
【００２４】
１１…表示部、１３…アーム部材、１５…ヘッドホン(保持部材)、１９…連結部材(押圧部材)、２１…耳掛部材、２１ａ…耳掛部、２１ｃ…軸部、２３…ベース部材、２３ａ…取付部、２９…パッド部材、２１ｄ…規制ピン、２１ｅ…切欠部、２３ｉ…溝部、３１…板バネ、Ｈ…頭部、Ｙ…耳、θ…開き角。
【図１】
2008072353.tif 000003
【図２】
2008072353.tif 000004
【図３】
2008072353.tif 000005
【図４】
2008072353.tif 000006
【図５】
2008072353.tif 000007
【図６】
2008072353.tif 000008